(57)【特許請求の範囲】
【請求項１】
外周面が円周面に形成された各種容器の外周面に巻き付けて貼付するラベルであり、
ラベルの糊付け面に、巻き付け方向と直行する方向に沿って帯状の非糊付け部を設け、該非糊付け部に巻き付け方向と直行する方向に沿って線状の易折曲部を設けたことを特徴とする転がり防止機能付きラベル。
【請求項２】
上記易折曲部が、ミシン目状に連設された多数の小孔である請求項１記載のラベル。
【請求項３】
上記非糊付け部の幅方向中央部に上記易折曲部を１本形成したものである請求項１又は２記載のラベル。
【請求項４】
上記易折曲部が、上記非糊付け部の幅方向両側縁部近傍に２本形成されたものである請求項１又は２記載のラベル。
【請求項５】
ガラス製のアンプル容器内に薬液を密封充填し、該アンプル容器の胴部外周面にラベルを貼付したアンプル製剤において、前記ラベルとして請求項１〜４のいずれか１項に記載のラベルが貼付されていると共に、該ラベルの非糊付け部に形成された上記易折曲部が所定角度折曲した状態で角張っていることを特徴とするアンプル製剤。
【発明の詳細な説明】
【０００１】
【発明の属する技術分野】
本発明は、医薬用のアンプル製剤等を構成するアンプル容器など、外周面が円周面に形成された各種容器の外周面に巻き付けて貼付するラベル、及び該ラベルを貼付したアンプル製剤に関し、更に詳述すると、アンプル容器などの各種容器の外周面に転がり防止用の角張りを容易に形成することができるラベル、及び該ラベルの貼付により容器外周面に転がり防止用の角張りが形成されたアンプル製剤に関する。
【０００２】
【従来の技術及び発明が解決しようとする課題】
従来から、ガラス製のアンプル容器は、水蒸気並びに酸素の遮断性に優れることから注射剤の容器として盛用されている。
【０００３】
このアンプル容器は、通常１本の生地管を火力で溶かすことにより頸部から上部と底部とを加工することにより製造され、その加工方法から円筒状の形状をしており、また非常に薄いガラスにより形成されている。このため、このアンプル容器に薬液を封入充填したアンプル製剤は、調剤作業台からの転倒落下により破損する事故が発生しやすい。即ち、医療機関で包装箱又は所定の保管ケースなどからアンプル製剤を取り出してこれを使用する際に、一時的に調剤作業台などに置いたアンプル製剤が何らかの要因で倒れた場合、作業台から容易に転がり落ちて割れる事故が起きやすい。
【０００４】
この場合、例えば麻薬注射製剤などの員数管理が義務付けられている特殊な製剤などでは、アンプル製剤が割れてしまった場合に厚生労働省への届出義務があり、面倒な手続が必要となる。このため、麻薬アンプル製剤については医療機関からアンプル製剤の転がり防止並びにそれに伴うアンプル製剤の割れ防止についての改善要望が実際に寄せられている。
【０００５】
従来、アンプル製剤の転がり落下による割れ防止方法としては、次の方法が提案されており、またその一部は既に実施されている。
（１）アンプルを印刷表示部を有する透明フィルムで被包すると共に、該フィルムの先端に扁平なシール部を設けて、この扁平なシール部によりアンプルの転動を防止する方法（実開平３−４９９６９号公報）。
（２）アンプル全体を完全に被包するラベルに切り取り容易なミシン目により形成した旗ラベル部を設け、該旗ラベル部の一端部をアンプルの胴部に接着させると共に、ラベル周囲を相互に接着して、両端が封緘された筒状のラベル内にアンプルを包装し、この筒状ラベルを開封した際に上記旗ラベル部がアンプルの胴部から旗状に突出し、これによりアンプルの転がりを防止する方法（実開平６−６６６８０号公報）。
【０００６】
このように、従来の方法は、アンプルの胴部外周に貼付するラベルに扁平部分又は突出片部分を設けて、アンプルの転動を防止するようにしたものであるが、上記従来のラベルは、その形態が非常に特殊なものであり、ラベル自体が高価にならざるを得ず、またアンプルへのラベルの貼付形態も非常に特殊であるため、通常のラベリングマシンをそのまま用いることができず、ラベル貼りのための設備コストも上昇することとなる。
【０００７】
更に、複数のアンプ製剤をまとめて包装箱等に包装する場合や所定の保管箱に収容する際、上記ラベルの扁平部や突出片が邪魔になって、これら包装箱や保管箱に容易に収容し難い、という問題もある。
【０００８】
本発明は、上記事情に鑑みなされたもので、アンプル容器等の円筒状容器の外周に貼付することにより、該容器の転がりを効果的に防止することができ、しかもラベル自体のコストや貼付工程にかかるコストを引き上げることなく、通常のラベルと同等のコストでラベル貼付を行うことができ、更にラベルを添付した容器を包装箱や保管箱などに収容する際にも邪魔になるようなことのない転がり防止機能付きラベル、及び該ラベルを貼付したアンプル製剤を提供することを目的とする。
【０００９】
【課題を解決するための手段】
本発明は、上記目的を達成するため、外周面が円周面に形成された各種容器の外周面に巻き付けて貼付するラベルであり、ラベルの糊付け面に、巻き付け方向と直行する方向に沿って帯状の非糊付け部を設け、該非糊付け部に巻き付け方向と直行する方向に沿って線状の易折曲部を設けたことを特徴とする転がり防止機能付きラベル、及び、
ガラス製のアンプル容器内に薬液を密封充填し、該アンプル容器の胴部外周面にラベルを貼付したアンプル製剤において、前記ラベルとして、上記転がり防止機能付きラベルが貼付されていると共に、該ラベルの非糊付け部に形成された上記易折曲部が所定角度折曲した状態で角張っていることを特徴とするアンプル製剤、を提供する。
【００１０】
即ち、本発明のラベルは、アンプル容器等の円筒状胴部外周に巻き付けて貼付した場合、上記非糊付け部がアンプル容器外周の曲面に密着せずに平面状態となろうとするため、この非糊付け部に設けられた上記易折曲部が所定角度に折曲し、アンプル容器の外周面に角張りが形成される。これにより、アンプル製剤が倒れた場合でもアンプル製剤が転がり難くなり、調剤作業台等からの転動落下を効果的に防止することができる。
【００１１】
しかも、本発明のラベルは、通常は全面が糊付け部とされるラベル裏側の糊付け面に、部分的に帯状の非糊付け部を形成すると共に、該非糊付け部に線状の易折曲部を設けたもので、複雑な形状や形態を有するものではなく、通常のラベルと同等のコストで製造することができる。
【００１２】
また、本発明のラベルは、通常のラベルと同様にアンプル容器等の被貼付物に巻き付けて貼り付けるだけで、上記非糊付け部に形成された易折曲部が自然に折れ曲がって上述した角張りが形成されるので、貼付時に煩雑な操作を要することなく、通常のラベルと同様に貼付作業を行なうことができる。従って、既存又は汎用のラベル貼り設備を用いてラベリングを行うことが可能であり、ラベルの貼付工程にかかるコストを引き上げることもない。
【００１３】
更に、本発明のラベルにより形成される上記角張りは比較的小さいので、このラベルを添付した複数の容器をまとめて包装箱や保管箱に収容する場合でも、上記角張りが邪魔になるようなことなく、良好に包装箱や保管箱に収容することができ、また上記角張りは、通常アンプル容器等の周面に上下方向（軸方向）に沿って形成されるため、容器を包装箱や保管箱に出し入れする際の作業を妨げることもない。
【００１４】
このように、本発明の転がり防止機能付きラベルによれば、アンプル容器等の円筒状容器の外周に貼付することにより、該容器の転がりを効果的に防止することができ、しかもラベル自体のコストや貼付工程にかかるコストを引き上げることなく、通常のラベルと同等のコストでラベル貼付を行うことができ、またこのラベルを用いた本発明のアンプル製剤は、調剤作業台などの上で倒れてしまった場合でも、該作業台からの転動落下を効果的に防止することができ、しかも殆どコスト高を招くことなく、通常のラベルを用いた場合と同等のコストで製造することができる上、包装箱や保管箱などに収容する場合でも、通常のラベルを用いた場合と同様に良好に収容することができるものである。
【００１５】
【発明の実施の形態及び実施例】
以下、実施例を示し本発明につきより具体的に説明する。
図１は、本発明の一実施例にかかるラベル１及び該ラベル１をアンプル容器２に貼付したアンプル製剤３を示すものである。
【００１６】
上記ラベル１は、図１（Ａ）に示されているように、ラベル裏側の糊付け面に、３ヶ所の帯状非糊付け部１１を等間隔ずつ離間して設け、糊付け面に４ヶ所の糊付け部１２と３ヶ所の非糊付け部１１とを交互に形成したものである。
【００１７】
上記非糊付け部１１は、ラベル１の巻き付け方向（図中、左右方向）と直行する方向に沿って帯状に形成された粘着剤を有しない部分であり、この各非糊付け部１１の幅方向中央にはラベル１の巻き付け方向と直行する方向に沿って線状の易折曲部１３が形成されている。
【００１８】
上記易折曲部１３は、ラベル１に多数の小孔をミシン目状に連設したものであり、ラベルに曲げ力がかかった際にラベルが撓むことなく、この易折曲部１３に沿ってラベル１が折れ曲るようになっている。なお、この易折曲部１３は、このようなミシン目状に連設した多数の小孔列に限定されるものではなく、例えば線状の薄肉部を形成して易折曲部１３としてもよく、ラベル１の他の部分よりも折れ曲り易く形成された線状の部分であればよい。
【００１９】
ここで、ラベル１の巻き付け方向両端部は、図１（Ａ）に示されているように、糊付け部１２とされ、上記各非糊付け部１１は、この両端部を除くラベル１の巻き付け方向中間部に均等に配置される。また、上記各糊付け部１２に付与される粘着剤は、通常のラベルに用いられる粘着剤を適用することができる。
【００２０】
このラベル１は、図１（Ｂ）に示されているように、アンプル容器２の胴部外周面に巻き付け、上記各糊付け部１２をアンプル容器２の外周面に接着させることにより、アンプル容器２の胴部外周面に貼付される。
【００２１】
このとき、本例のラベル１では、上記各非糊付け部１１がアンプル容器外周の曲面に密着せずに平面状態となろうとするため、図１（Ｂ）に示されているように、これら非糊付け部１１に設けられた上記易折曲部１３が所定角度に折曲し、アンプル容器２の外周面に角張り１４が形成される。そして、この各角張り１４により、このアンプル容器２に薬液を充填密封したアンプル製剤３が調剤作業台等の上で何らかの理由で倒れた場合でもアンプル製剤３が転がり難くなり、調剤作業台等からの転動落下を効果的に防止することができる。
【００２２】
ここで、このラベル１をアンプル容器２の外周に貼付する作業は、単にラベル１をアンプル容器２の胴部外周面に巻き付けて上記各糊付け部１２を接着させればよく、ラベル裏面を全面糊付けする通常のラベルと同様に貼付作業を行うことができ、またラベル１の基本的な形状や形態も通常のラベルと変わりないため、汎用又は既存のラベリングマシンを用いて上記貼付作業を行うことが可能である。この場合、ラベル１をアンプル容器２に巻き付ける際に強い張力を与えないようにラベリングマシンを調整して巻き付けを行うことが好ましく、強い張力を与えながら巻き付け作業を行うと、上記易折曲部１３でラベル１が切れてしまったり、張力により上記非糊付け部１１がアンプル容器２の外周面に密着して、上記角張り１４が形成されない、などの不都合を生じる場合がある。ただし、通常のラベリングマシンを用いて通常の条件で貼付作業を行う限り、通常はこのような不都合を生じることなく、良好に上記角張り１４を形成して良好にラベル１を貼付することができる。
【００２３】
次に、図２は、本発明の他の実施例にかかるラベル４及び該ラベル４をアンプル容器２に貼付したアンプル製剤５を示すものである。
【００２４】
このラベル４は、図２（Ａ）に示されているように、各非糊付け部１１の幅方向両側縁部近傍にそれぞれ易折曲部１３，１３を形成したものであり、その他の構成は図１に示したラベル１と同様である。
【００２５】
このラベル４は、上記図１のラベル１と同様に、アンプル容器２の胴部外周面に巻き付けて４ヶ所の糊付け部１２を接着させることにより、アンプル容器２の胴部外周面に貼付されるが、この場合、このラベル４では、各非糊付け部１１の両側縁部近傍がそれぞれ上記易折曲部１３，１３により所定角度に折れ曲り、各非糊付け部に２ヶ所の角張り１４，１４が形成されると共に、両角張り１４，１４間に平面部１５が形成される。
【００２６】
そして、この各角張り１４及び平面部１５により、このアンプル容器２に薬液を充填密封したアンプル製剤５が調剤作業台等の上で何らかの理由で倒れた場合でもアンプル製剤５が転がり難くなり、調剤作業台等からの転動落下を効果的に防止することができる。
【００２７】
なお、この図２に示したラベル４のその他の構成及び作用効果は、上記図１のラベル１と同様であるため、同様の部分に同一の参照符号を付して、その説明を省略する。
【００２８】
ここで、上記図１及び図２のラベル１及び４において、上記非糊付け部１１の幅及び数は、特に制限されるものではなく、アンプル容器２等の被貼付物の大きさ（特に、ラベルが貼付される外周面の曲率）、ラベルの大きさ（特に、巻き付け長さ）等に応じて、被貼付物（アンプル容器）２等の転動を効果的に防止し得る角張り１４が確実に形成されるように適宜設定される。例えば、巻き付け長さ２５〜５０ｍｍのラベルを外周長３０〜６０ｍｍ程度の被貼付物に貼付する場合には、特に制限されるものではないが、幅５〜８ｍｍ程度の非糊付け部１１を２〜４本程度設けることが好ましい。なお、２本以上の非糊付け部を設ける場合には、各非糊付け部１１の幅はそれぞれ異なっていてもよい。
【００２９】
また、図１のラベル１のように、各非糊付け部１１に１本の易折曲部１３を形成する場合、この易折曲部１３の形成位置は、非糊付け部１１の幅方向中央部とすることが好ましく、これにより十分な大きさの角張り１４を確実に形成することができる。また、図２のラベル４のように、各非糊付け部１１の両側縁部近傍にそれぞれ易折曲部１３を形成して、各非糊付け部１１に２本の易折曲部１３設ける場合には、両易折曲部１３，１３間の幅ｗを３〜６ｍｍ程度、各易折曲部１３と糊付け部１２との距離ｄを１〜３ｍｍ程度とすることが好ましく、これによりアンプル製剤５の転動を効果的に防止し得る角張り１４及び平面部１５が確実に形成される。
【００３０】
なお、上記ラベル１及び４を形成する材料は、通常のラベルに用いられる材料と同様のものを用いることができ、紙以外にも各種プラスチック製のフィルムを用いることもできる。
【００３１】
以上のように、図１及び図２に示した本発明にかかるラベル１及び４によれば、アンプル容器２の胴部外周面に貼り付けることにより、非糊付け部１１に設けられた易折曲部１３が所定角度に折曲し、アンプル容器２の外周面に角張り１４が形成され、またラベル４の場合には２つの角張り１４，１４間に平面部１５も形成される。これにより、このアンプル容器２内に薬液を充填したアンプル製剤３，５が倒れた場合でもアンプル製剤３，５が転がり難くなり、調剤作業台等の上でこれらアンプル製剤３，５が倒れてしまった場合でも、転動落下事故の発生を効果的に防止することができる。
【００３２】
しかも、これらラベル１及び４は、通常は全面が糊付け部とされるラベル裏側の糊付け面に、部分的に帯状の非糊付け部１１を形成すると共に、該非糊付け部１１に線状の易折曲部１３を設けたもので、複雑な形状や形態を有するものではなく、通常のラベルと同等のコストで製造することができる。
【００３３】
また、これらラベル１及び４は、通常のラベルと同様にアンプル容器２等の被貼付物に巻き付けて貼り付けるだけで、上記非糊付け部１１に形成された易折曲部１３が自然に折れ曲がって上述した角張り１４や平面部１５が形成されるので、貼付時に煩雑な操作を要することなく、通常のラベルと同様に貼付作業を行なうことができる。従って、既存又は汎用のラベル貼り設備を用いてラベリングを行うことが可能であり、ラベルの貼付工程にかかるコストを引き上げることもない。
【００３４】
更に、図１（Ｂ）及び図２（Ｂ）に示されているように、ラベルにより形成される上記角張り１４は比較的小さいので、このラベル１，４を添付した複数のアンプル製剤３，５をまとめて包装箱や保管箱に収容する場合でも、上記角張り１４が邪魔になるようなことなく、良好に包装箱や保管箱に収容することができ、また上記角張り１４は、アンプル容器２の周面に上下方向（軸方向）に沿って形成されるため、アンプル製剤３，５を包装箱や保管箱に出し入れする際の作業を妨げることもない。
【００３５】
なお、本発明のラベル及び該ラベルを貼付した本発明のアンプル製剤は、上記実施例に限定されものではなく、その構成は本発明の要旨を逸脱しない限り種々変更して差し支えない。また、上記実施例ではアンプル製剤用のアンプル容器に貼付するラベルを例にして説明したが、本発明のラベルはアンプル容器以外にも各種ボトル状容器、例えばバイアル瓶など、ラベルが貼付される外周面が円周面に形成された容器であればいずれの容器にも好適に用いられ、これら容器の転動を効果的に防止することができるものである。
【００３６】
【発明の効果】
以上説明したように、本発明のラベルによれば、アンプル容器等の円筒状容器の外周に貼付することにより、該容器の転がりを効果的に防止することができ、しかもラベル自体のコストや貼付工程にかかるコストを引き上げることなく、通常のラベルと同等のコストでラベル貼付を行うことができ、またこのラベルを用いた本発明のアンプル製剤は、調剤作業台などの上で倒れてしまった場合でも、該作業台からの転動落下を効果的に防止することができ、しかも殆どコスト高を招くことなく、通常のラベルを用いた場合と同等のコストで製造することができる上、包装箱や保管箱などに収容する場合でも、通常のラベルを用いた場合と同様に良好に収容することができるものである。
【図面の簡単な説明】
【図１】（Ａ）は本発明の一実施例にかかるラベルを示す平面図、（Ｂ）は同ラベルをアンプル容器に貼付したアンプル製剤を示す概略平面図である。
【図２】（Ａ）は本発明の他の実施例にかかるラベルを示す平面図、（Ｂ）は同ラベルをアンプル容器に貼付したアンプル製剤を示す概略平面図である。
【符号の説明】
１，４  ラベル
１１  非糊付け部
１２  糊付け部
１３  易折曲部
１４  角張り
１５  平面部
２  アンプル容器
３，５  アンプル製剤
【図１】
0004433125.tif 000002
【図２】
0004433125.tif 000003